(57)【要約】【課題】  点灯回路基板を固定するためのケースの取り付け部の構造を単純化できる点灯回路基板を供給する。【解決手段】  光源１ａを有する点灯部１と、略筒状をなし一方の開口端近傍に点灯部１が取付けられたケース５と、このケース５の他方の開口端近傍に取付けられた口金７と、ケース５に収納された光源１ａを点灯させる点灯回路基板３と、点灯回路基板３と口金７との間に接続された複数の電線８と、を備えた口金付き光源装置において、ケース５の内面側であって点灯回路基板３より口金７側に点灯回路基板３の口金７方向への移動を阻止する基板当接部５ａを形成するとともに複数の電線８の少なくとも１本を点灯回路基板３と口金７との間で張力が働くように設けられた張力電線８Ｌとし、この張力電線８Ｌにより点灯回路基板３が口金７の方に引っ張られて基板当接部５ａに張着されてなる口金付き光源装置。  【選択図】図２
2005183034.tif 000002
【特許請求の範囲】
【請求項１】
光源を有する点灯部と、略筒状をなし一方の開口端近傍に前記点灯部が取付けられたケースと、このケースの他方の開口端近傍に取付けられた口金と、前記ケースに収納された前記光源を点灯させる点灯回路基板と、点灯回路基板と口金との間に接続された複数の電線と、を備えた口金付き光源装置において、前記ケースの内面側であって点灯回路基板より口金側に点灯回路基板の口金方向への移動を阻止する基板当接部を形成するとともに前記複数の電線の少なくとも１本を点灯回路基板と口金との間で張力が働くように設けられた張力電線とし、この張力電線により前記点灯回路基板が口金の方に引っ張られて前記基板当接部に張着されてなる口金付き光源装置。
【請求項２】
前記基板当接部は点灯回路基板をケースの中心軸に対して略垂直に配設するように設けられ、前記張力電線は、点灯回路基板の略中心より点灯回路基板に対して垂直に点灯回路基板を引っ張るものであることを特徴とする請求項１記載の口金付き光源装置。
【請求項３】
前記基板当接部は点灯回路基板をケースの中心軸に対して略垂直に配設するように設けられ、前記張力電線を点灯回路基板の略中心より点対称に複数設けたことを特徴とする請求項１記載の口金付き光源装置。
【請求項４】
前記基板当接部は点灯回路基板をケースの中心軸に対して略垂直に配設するように設けられ、前記張力電線は、点灯回路基板の略中心と前記基板当接部とを結ぶ線分上に設けられたものであることを特徴とする請求項１記載の口金付き光源装置。
【発明の詳細な説明】
【技術分野】
【０００１】
本発明は、口金受け部に装着して使用する口金付き光源装置に関するものである。
【背景技術】
【０００２】
この種の口金付き光源装置としては、特開２００２−３３００３号公報に開示されものがある。図８は、これに開示された口金付き光源装置の図で、口金付き光源装置の断面図である。このものは、光源１ａを有する点灯部１と、略筒状をなし一方の開口端近傍に点灯部１が取付けられたケース５と、ケース５の他方の開口端近傍に取付けられた口金７と、ケース５に収納され光源１ａを点灯させる点灯回路基板３と、点灯回路基板３と口金７との間に接続された複数の電線８ａ、８ｂと、を備えて構成されている。
【０００３】
ここで点灯回路基板３の固定は、ケース５に点灯回路基板３を固定するための係止部を設けてこれに固定するもの（図示せず）や、ケース５を分割形成しこのケース５に点灯回路基板３を挟みこむことにより固定するもの（図示せず）などがある。
【特許文献１】特開２００２−３３００３号公報
【発明の開示】
【発明が解決しようとする課題】
【０００４】
ところが、ケース５に係止部を設けてこれに点灯回路基板３を固定するものにおいては、係止部の強度や弾性度などを考慮して設計する必要があるので、設計が複雑なものになる上に係止部の材料選定に制約を受けるものとなっていた。さらに、これを作るための金型も複雑なものとなっていた。
また、ケース５を分割形成しこのケース５に点灯回路基板３を挟みこむものにおいてもその嵌合部の構造が複雑になるのでこれを作るための金型も複雑なものとなっていた。また、嵌合する際にクリアランスを設ける必要があるのでがたつきの原因にもなっていた。
【０００５】
本発明は、上記事由に鑑みてなしたもので、その課題は、点灯回路基板を固定するためのケースの取り付け部の構造を単純化できる点灯回路基板を供給することにある。
【課題を解決するための手段】
【０００６】
請求項１に係る発明の口金付き光源装置は、光源を有する点灯部と、略筒状をなし一方の開口端近傍に前記点灯部が取付けられたケースと、このケースの他方の開口端近傍に取付けられた口金と、前記ケースに収納された前記光源を点灯させる点灯回路基板と、点灯回路基板と口金との間に接続された複数の電線と、を備えた口金付き光源装置において、前記ケースの内面側であって点灯回路基板より口金側に点灯回路基板の口金方向への移動を阻止する基板当接部を形成するとともに前記複数の電線の少なくとも１本を点灯回路基板と口金との間で張力が働くように設けられた張力電線とし、この張力電線により前記点灯回路基板が口金の方に引っ張られて前記基板当接部に張着されてなることを特徴とする。
【０００７】
請求項２に係る発明の口金付き光源装置は、請求項１において、前記基板当接部は点灯回路基板をケースの中心軸に対して略垂直に配設するように設けられ、前記張力電線は、点灯回路基板の略中心より点灯回路基板に対して垂直に点灯回路基板を引っ張るものであることを特徴とする。
【０００８】
請求項３に係る発明の口金付き光源装置は、請求項１において、前記基板当接部は点灯回路基板をケースの中心軸に対して略垂直に配設するように設けられ、前記張力電線を点灯回路基板の略中心より点対称に複数設けたことを特徴とする。
【０００９】
請求項４に係る発明の口金付き光源装置は、請求項１において、前記基板当接部は点灯回路基板をケースの中心軸に対して略垂直に配設するように設けられ、前記張力電線は、点灯回路基板の略中心と前記基板当接部とを結ぶ線分上に設けられたものであることを特徴とする。
【発明の効果】
【００１０】
請求項１に係る発明にあっては、ケースに形成された基板当接部は張力電線により点灯回路基板が口金の方に引っ張られたときに点灯回路基板を当接させるのみの単純な構成のものでよいので、ケースの取り付け部の構造を単純化できるものとなる。
【００１１】
請求項２に係る発明にあっては、請求項１に記載した効果を奏するうえに、１本の張力電線によって点灯回路基板を基板当接部に張着することができるものとなる。
【００１２】
請求項３に係る発明にあっては、請求項１に記載した効果を奏するうえに、点灯回路基板が回転した状態で取り付けられにくいものとなる上に、その張着力を大きなものにすることができる。
【００１３】
請求項４に係る発明にあっては、請求項１に記載した効果を奏するうえに、張力電線が点灯回路基板を引っ張る点と、点灯回路基板が基板当接部に張着される点とがより近くなるので、より確実に点灯回路基板を基板当接部に張着することができるものとなる。
【発明を実施するための最良の形態】
【００１４】
本発明の請求項１、２に対応した第１の実施の形態を図１〜３を用いて説明する。図１は口金付き光源装置の分解斜視図、図２は口金付き光源装置の断面図、図３は点灯回路基板へ電線を接続するときの接続位置を示す説明図である。
この口金付き光源装置は、光源１ａを有する点灯部１と、略筒状をなし一方の開口端近傍に点灯部１が取付けられたケース５と、このケース５の他方の開口端近傍に取付けられた口金７と、ケース５に収納され光源１ａを点灯させる点灯回路基板３と、点灯回路基板３と口金７との間に接続された複数の電線８と、を備えて構成されている。
【００１５】
点灯部１は、合成樹脂などで略円盤状に形成され、その内部に配設されたＬＥＤ素子で形成された光源１ａと、光源１ａの前面側に設けられたレンズ１ｂと、光源１ａを支持する基材１ｃと、を備えている。ここでレンズ部１ｂは光源１ａからの光が所望の方向に向けて放出されるように設けられたものであり、基材１ｃは点灯回路基板３から電線８０ａ、８０ｂを通じて供給された電力を光源１ａに伝達させるためのものプリント配線が施された基板である。
【００１６】
ケース５は、その側面視が略台形をなした円筒状のものであり合成樹脂により形成されている。このケース５の大きい方の開口部には、その内周側に埋め込まれるように点灯部１が取り付けられている。また、小さい方の開口部には、口金７が、その開口部を外側から覆うように取り付けられている。
【００１７】
口金７は、有底筒状のベース部７ｃと、ベース部７ｃの側周面側に設けられケース５の小さい方の開口部の外側に嵌合する口金ねじ部７ａと、ベース部７ｃの底の部分に設けられたアイレット部７ｂと、を備えている。ここでアイレット部７ｂの中心には、電線８が貫通するだけの孔が形成されている。
【００１８】
点灯回路基板３は、略円盤状に形成されたプリント基板３ａと、このプリント基板３ａに実装された電子部品３ｂと、を備えている。
電線８は、点灯回路基板３と口金７との間に接続されたものであり、点灯回路基板３（プリント基板３ａ）の周端よりケース５の内面に沿って配線されて口金ねじ部７ａに接続された電線８ａと、点灯回路基板３とアイレット部７ｂとの間に接続された張力電線８Ｌと、により構成されている。
【００１９】
ここで重要なことは、ケース５の内面側であって点灯回路基板３より口金７側に点灯回路基板３の口金７方向への移動を阻止する基板当接部５ａを形成したことである。さらに電線８のうち張力電線８Ｌを点灯回路基板３と口金７との間で張力が働くように設け、この張力電線８Ｌにより点灯回路基板３が口金７の方に引っ張られて基板当接部５ａに張着されているものとしたことである。
【００２０】
これを詳しく述べると、基板当接部５ａは、ケース５の内面側であってケース５の軸心に向かって突出したものである。そして、この基板当接部５ａは、ケース５のない周面に略１２０°間隔で３ケ所設けられている。この基板当接部５ａは、点灯回路基板３がこれに当接したときに、プリント基板３ａがケース５の中心軸に対して略垂直になるように設けられている。
また、張力電線８は、点灯回路基板３（プリント基板３ａ）の略中心より点灯回路基板３（プリント基板３ａ）に対して垂直に設けられており、点灯回路基板３とアイレット部７ｂとの間で、点灯回路基板３（プリント基板３ａ）を引っ張るよう取り付けられている。
【００２１】
次に、この口金付き光源装置の組み立てを説明する。まず、プリント基板３ａの電子部品３ｂ側の所定の接続位置に、電線８ａと、張力電線８Ｌと、を接続する。そして、電線８ａと、張力電線８Ｌと、をケース５の大きい方の開口より挿入し、順次、点灯回路基板３をこれに実装された電子部品３ｂがケース５の小さい方の開口部と対向するようにケース５に収納する。これによりプリント基板３ａの周縁が基板当接部５ａに当接した状態となる。次に、口金７をケース５の小さい方の開口部近傍に配置させて、張力電線８Ｌをアイレット部７ｂの中心に設けられた孔より引き出す。さらに電線８ａの先端をケース５の小さい方の開口部の外側に引き出し、この引き出された部分が口金ねじ部７ａとケース５の小さい方の開口部の外周との間で挟まれるように、口金ねじ部７ａをケース５の小さい方の開口部に取り付ける。そして、張力電線８Ｌを引っ張って、点灯回路基板３（プリント基板３ａ）が基板当接部５ａに張着されるように、張力電線８Ｌをアイレット部７ｂに取り付ける。このとき余った電線は切断する。そして、点灯部１をケース５の大きい方の開口部の内面側に嵌め込む。これにより口金付き光源装置の組み立てが完了する。
【００２２】
この実施の形態によると、点灯回路基板３と口金７との間に接続された複数の電線８の少なくとも１本を点灯回路基板３と口金７との間で張力が働くように設けられた張力電線８Ｌとし、この張力電線８Ｌにより点灯回路基板３が口金７の方に引っ張られて基板当接部５ａに張着されるので、ケース５に形成された基板当接部５ａは、張力電線８Ｌにより点灯回路基板３が口金７の方に引っ張られたときに点灯回路基板３を当接させるのみの単純な構成のものでよいので、ケース５の取り付け部の構造を単純化できるものとなる。
【００２３】
また、基板当接部５ａは点灯回路基板３をケース５の中心軸に対して略垂直に配設するように設けられ、張力電線５Ｌは、点灯回路基板３の略中心より点灯回路基板３に対して垂直に点灯回路基板３を引っ張るものとしたことにより、１本の張力電線５Ｌによって点灯回路基板３を基板当接部５ａに張着することができるものとなる。
【００２４】
次に、本発明の請求項１、３に対応した第２の実施の形態を図４、図５を用いて説明する。図４は口金付き光源装置の断面図、図５は点灯回路基板へ電線を接続するときの接続位置を示す説明図である。この口金付き光源装置は、第１の実施の形態で説明した口金付き光源装置の張力電線８Ｌを２本のものとし、点灯回路基板３への張力電線８Ｌの接続位置を変えたものである。このものは、基板当接部５ａによってケース５の中心軸に対して略垂直に配設された点灯回路基板３の略中心より点対称に２本の張力電線８Ｌ、８Ｌを設けたものである。
【００２５】
これを詳しく述べると、２本の張力電線８Ｌ、８Ｌは、点灯回路基板３の周縁付近に設けられており、一方の張力電線８Ｌはアイレット部７ｂに取り付けられており、他方の張力電線８Ｌは口金ねじ部７ａに取り付けられている。そして、この２本の張力電線８Ｌ、８Ｌによって点灯回路基板３が口金７の方に引っ張られて基板当接部５ａに張着されているものとなっている。その他の第１の実施の形態と同一の構成部材には、同一符号を付すことにより説明を省略する。
このものは、点対象に設けられた２本の張力電線８Ｌ、８Ｌによって、点灯回路基板３を引っ張り、この引っ張られた点灯回路基板３がケース５の中心軸に対して略垂直に配設されるように基板当接部５ａに張着されるので、点灯回路基板３が回転した状態で取り付けられにくいものとなる上に、その張着力を大きなものにすることができる。
【００２６】
次に、本発明の請求項１、４に対応した第３の実施の形態を図６、図７を用いて説明する。図６は口金付き光源装置の断面図、図７は点灯回路基板へ電線を接続するときの接続位置を示す説明図である。この口金付き光源装置は、第１の実施の形態で説明した口金付き光源装置の張力電線８Ｌの点灯回路基板３への接続位置を変えたものである。このものは、点灯回路基板３の略中心と基板当接部５ａとを結ぶ線分上に張力電線８Ｌを設けたものである。
【００２７】
これを詳しく述べると、張力電線８Ｌは、点灯回路基板３の略中心と基板当接部５ａとを結ぶ線分上であって、より基板当接部５ａに近い側で点灯回路基板３に接続されており、その他端側は、アイレット部７ｂに取り付けられている。その他の第１の実施の形態と同一の構成部材には、同一符号を付すことにより説明を省略する。
このものは、点灯回路基板３の略中心と基板当接部５ａとを結ぶ線分上に張力電線８Ｌを設けたので、張力電線８Ｌが点灯回路基板３を引っ張る点と、点灯回路基板３が基板当接部５ａに張着される点とがより近くなるので、より確実に点灯回路基板３を基板当接部５ａに張着することができるものとなる。
【図面の簡単な説明】
【００２８】
【図１】本発明の第１の実施の形態に係る口金付き光源装置の分解斜視図。
【図２】同上の口金付き光源装置の断面図。
【図３】同上の口金付き光源装置の点灯回路基板へ電線を接続するときの接続位置を示す説明図。
【図４】本発明の第２の実施の形態に係る口金付き光源装置の断面図。
【図５】同上の口金付き光源装置の点灯回路基板へ電線を接続するときの接続位置を示す説明図。
【図６】本発明の第３の実施の形態に係る口金付き光源装置の断面図。
【図７】同上の口金付き光源装置の点灯回路基板へ電線を接続するときの接続位置を示す説明図。
【図８】従来例に係る口金付き光源装置の断面図。
【符号の説明】
【００２９】
１    点灯部
３    点灯回路基板
５    ケース
５ａ  基板当接部
７    口金
８    電線
８Ｌ  張力電線
【図１】
2005183034.tif 000003
【図２】
2005183034.tif 000004
【図３】
2005183034.tif 000005
【図４】
2005183034.tif 000006
【図５】
2005183034.tif 000007
【図６】
2005183034.tif 000008
【図７】
2005183034.tif 000009
【図８】
2005183034.tif 000010